(57)【要約】      （修正有）【課題】木構造建物等の倒壊や被害を抑制するのに必要な構造的耐力を建物の風合いを無くすことなくローコストで構成するための接合金物を提供する【解決手段】第１軸組材２とこれと直交する第２軸組材３の隅部の外・内側面のいずれにも当接する面と、補強に使用する筋交い５又は面材の厚さ以上の深さをもち、それぞれを連結した３次元の形状を持った接合金物１を用い、第１軸組材２とこれと直交する第２軸組材３及び補強に使用する筋交い５又は面材をボルト８ナット１０で一体化する。接合金物１を２枚組で使用ができるように、軸組材に接する面には対称に開けられたボルト用孔を設け、仮止め突起と釘又は螺子用の非対称の孔を持つ。又接合金物の筋交い５又は合板等面材を連結する面には、突起または粗面加工してあり、突起または粗面加工された座金を用いてボルト等で一体化する。【選択図】  図５
2006104916.tif 000002
【特許請求の範囲】
【請求項１】
木構造材の主として柱と桁・土台の接合部分を鋼材のプレス又は溶接で作られた３次元の面で構成された３面一体固定補強する接合金物で本体前面及び裏面に補強使用材を取り付け補強に用いる。材質は、強化樹脂等の成型品でも可能である。補強材には木筋交いの他合板等面材が使用できる。２階小屋組等変形防止の補強時には、取り付け治具を用いて鉄筋や炭素繊維等を使用する。本体は、補強使用材を内側に取り付けた場合にボルト等が本体の外側に面する取り付け面からはみ出さない深さを持つ。本体外部に面する取り付け部の１面に仮止用の突起を持つ。補強材取り付け面は突起又は粗面加工とする。同様の加工面を持つ座金とボルト等固定材を１本又は２本用いて強材を挟むことにより本体に固定する面固定方式。面材使用の補強の場合には接合金物で壁内に４箇所で固定。面材の主として張耐力を活用する構造で、構造用合板・鉄板のほか透過性の高い樹脂板・ガラス板も補強材として用いることが出来る。圧力に対して割れ易い面材には取り付け部にゴム・粘性樹脂等を固定材として挟んで使用。以上の特徴を持つ接合金物。
【請求項２】
面固定に使用する座金が従来の座金に対して大きな面積で本体内側に接する形状を持ち、本体内側面に座金の移動を防ぐ固定用の突起又はそれに類する加工を施した接合金物。
【請求項３】
筋交い・構造用合板等面材の座金取り付け孔と本体を組み合せに使う孔以外の本体を柱等の駆体に固定する２枚のフラップと本体内側面に開口した釘・螺子等用の孔の位置がすべて非対称とする接合金物
【請求項４】
補強材として筋交い・構造用合板・ガラス・樹脂板・鉄板等面材を使用する接合金物で、本体の裏側に固定治具（ボルトの場合ナット）等が溶接等を用いて予め本体に設置された接合金物。
【請求項５】
面材を使用して補強する場合に、３面一体固定方式の接合金物を使用し、２枚の接合金物の間に挟む取り付け方式の接合金物。
【発明の詳細な説明】
【発明に属する技術分野】
【０００１】  この発明は，接合金物、主として木構造（木造軸組工法・ツーバイフォー等）の耐震補強用に関するものですが、接合部を固定し変形を抑える補強と、補強材の張耐力を使用する事で構造が大きく向上する構造、たとえば鉄骨構造等にも適用できます。鉄骨構造の場合は、筋交いに鉄筋又は鉄骨を使用する事となり、直接ボルト等を用いて固定することとなります。さらに詳しくは、木構造補強の場合、この接合金物は最大の弱点である接合部の補強とコーナーの角度変形を防ぐ構造で、接合部の４隅の取り付けでも補強効果をもちます。耐震補強工事において、大きな構造的強度を決定する筋交い・構造用合板等の補強面材の取り付けに用いることで、張耐力の活用も可能します。さらに座金を本体内側に密着する様に製作し、張力が加わった時点で移動しない固定用の加工を本体設置部に施すことで、接合金物本体の補強と取り付けに使用するボルトにかかるせん断力を軽減させ、筋交い・面材の取り付け部からの破壊を防ぎ信頼性の高い安定した大きな耐力を実現します。この金物の本体と座金の取り付け部分にゴム板やその他粘性の大きな材を用いれば、面材の割れ・裂けを防ぐ取り付け方法となり、面材の大きな張耐力を活用する耐震補強、たとえばガラス板や樹脂パネルの張力を用いることも可能となります。大震災以降、軸組工法は耐震性重視の構造となり、開口面積の少ないツーバーフォーと外観的に大差がほとんど無くなり、日本住宅の風合いが失われつつありますが、この接合金物を用いた耐力壁を活用致しますと、たとえばガラス等透過性の高い面材を外部に外壁と内壁をかねて施工できますし、開放性の高い構造も可能となります。また、内側に格子等のデザインを加えたはめ込み材を取り付けたりすることで、住まいの雰囲気を変えることも容易にできます。面材補強に合板を使用する場合には、内側にガラス等透過性の高い面材をはめ殺しとして、強度に影響のない程度のスリットや開口部分加工をすることでデザイン性の高い耐力壁を造ることともなります。
【背景技術】
【０００２】  大地震が予測されているにもかかわらず、なかなか進まない既存住宅の耐震補強や耐震性の高い住宅の建設は、大工・工務店に解りやすく施工が簡単で効果の大きな汎用耐震金物があまり無いことにも一因があるといえます。阪神淡路大震災以降、建物補強に関して関心が高まり、耐震のほか免震・減震・制震といった対策がとられていますが、大震災現場の被害状況から検証致しますと、木造軸組工法の多くの建物が壁量の不足とバランス不良、接合部不良等が倒壊要因といえ、接合部の補強と建物自体の耐力の向上が補強工事の基本であると思います。現在の木造住宅の主流となっている軸組工法は、大きな構造材を使用する伝統工法と違い、必要耐力を満たす程度の駆体材と簡便な仕口加工のため接合部分の強度は接合金物の性能が大きく影響しているといえます。また、簡素化された柱と間柱で構成される構造のため、地震に対しては、躯体全体のバランスが重要であるのと共に、横揺れに対する耐震性能のほとんどが筋交いに依存する構造ともいえます。
このような軸組工法の既存・新築住宅に現在施工されている耐震補強方法は、
１）基礎・土台・柱の一体化で接合強度を高め，外れを防ぐ。
（外付けホールダウン・接合補強金物等）
２）合板等の面材を壁面上に釘を用いて貼り付け、壁耐力を向上させる。
３）木材や金属の筋交いを入れて，壁の強度を増す
４）接合部分や駆体の変形を吸収する金物やダンパーなどを用いて、変形のエネルギーを吸収することで、構造破壊を防ぐ。（制震）
５）桁等に外部よりゆれ等を防ぐ鋼製の補助柱を取り付け補強する
等があげられます。木構造は構造使用材の木材自体の重量が小さく強度が大きいことより、他の鉄骨造や鉄筋コンクリート造と比較して地震に有利な構造であります。したがいまして、適切な補強をすれば耐震性を向上させるのは容易であります。とは言うものの、従来の日本の住宅は南面が開放的なプランが多いため、耐震面から見ると重い瓦屋根を持ちながら耐力壁の配置バランスが悪く、ひねり応力を生じやすい構造であります。このことが屋根の比較的軽く初期耐力が大きい面構造のツーバーフォーと比較して倒壊が多いという結果を招く大きな要因となったのです。このような既存住宅の耐震補強には、開口部を塞いで耐力壁の増設等の内壁・外壁等の解体を伴う工事をすることとなり、多額の費用が必要とするばかりか、建物自体の本来の美観を大きく失う事となっておりました。したがいまして、軸組工法における耐震補強には大きな耐震性能を持つ壁の開発が必要であり、耐震補強自体のローコスト化に役立つと思います。大きな耐力性能を持つ壁は、少ない壁で十分な耐力を持たせることにもなりますし、バランス調整も容易にすると共にローコストで効果の大きな耐震補強にもつながります。上記を踏まえて、従来の補強方法の問題点を大まかに検討してみますと、
１）従来の住宅の合板等による面材補強は、建物変形が１／８０ｒａｄ程度以上になると剥離や破壊により効果が無くなる
２）単なる既存壁の補強では、南面の開口部が大きく壁量が不足している場合が多く、従来の耐力壁耐力ではバランス調整が難しく、ひねりを生じ駆体自体の倒壊を招く危険性が大きい。
３）従来のボルトによる接合は、木痩せによる緩みを生じ、大きな力が加わった場合、変形を防ぐことが食い込みを生じると共に、１度大きな変位を与えると接合部の緩みを生じやすく、接合補強効果が大きく低減する。
４）従来の筋交いの取り付け方式では１／４４ｒａｄ以上の変位になると圧縮筋交いは撓み、引っ張り筋交いは外れてしまう為、ほとんど効果が無くなり倒壊を招く要因となる。
この４点が上げられます。以上のことから、木構造の耐震性能を向上させるには、緩みやすい接合部の補強と、初期に大きく働く面材の耐力を持続させる取り付け方法の改良と、大きな変位に対して効果の大きな筋交いの取り付け方法の改良、そして耐力壁のバランスの良い配置が非常に重要だといえます。さらに単に剛性を高めるばかりでなく、木構造の優れた特性である靭性特性（木構造は初期においては剛性で応力に対応し，剛性限界を超えた応力に対しては、揺れて応力を吸収する特性がある）を生かす補強方法も実際の地震に際しては大きな効果を生むといえます。以上のことを踏まえて、より効果の大きな補強をどのようにしたらよいかを考えてみます。
従来は圧縮耐力を基本とした筋交いの取り付け使用方法を基準に用いています。そのため、筋交いは圧縮側に働く場合は撓みによる挫屈を生じ、引っ張り側に働く場合は、接合部での破壊を生じ接合部からの外れ等を招き、本来の木材の補強効果が十分に発揮されておりませんでした。今日に至るまで、大きな耐力が必要な場合には単純に筋交いの挫屈を防ぐ目的で断面積の大きな筋交いや鋼材を使用しておりました。この場合、圧縮力が加わった場合に接合部の強度を超えることともなり、逆に通し柱の破壊や接合部の突き上げ破壊を招き倒壊の危険性が逆に大きくなることになります。又、現在簡便な補強の主流となっている構造用合板による耐震補強方法は、外部より柱・桁・土台に釘を用いた固定方法で一体化し、ツーバイフォーと同じように面材を用いた壁構造とする補強となりますが（基準壁において２．５倍の壁倍率が認められております）、軸組工法はツーバイフォーと比較して強度的に大きな駆体材を使用するため、形状変形はツーバイフォーの変形と全く異なったものとなります。詳しくは、ツーバイフォー構造においては、駆体に使用するスタッド材が大きな耐力を持たない為、合板変形形状が優先するのに対し、軸組工法に合板を面材補強として使用した場合、駆体の変形が優先するため１／８０ｒａｄの変位で合板破壊が始まり壁耐力を急激に減衰する事となります。面構造の場合、初期耐力が大きい特徴がありますが、その反面上記のように持続性がないため、耐力壁の破壊が一瞬の倒壊に繋がることともなります。上記のように大きな靭性特性を持つ軸組工法においては、合板のみの補強は大きな危険性を持つといえます。その要因として、軸組工法住宅の場合、一般的に屋根に台風を考えた重量の大きな瓦が一般的で、さらに在来工法の場合には、小屋組の梁・桁といった構造材に大きな木材を使用しております。接合部分は  ほぞ・仕口を設けて羽子板ボルト・ボルト等の接合金物で固定される構造ですので、軸組工法自体の特性として揺れて応力を逃がす靭性が大きく働くこととなり、ツーバイフォーの面構造とは大きな構造特性の違いが生ずることとなります。以上を考慮いたしますと、従来の取り付け方法の面材補強は軸組工法にとって初期耐力の向上に大きな効果があるといえますが、面材が破壊した後には、靭性特性を活用出来る筋交いの併用が必要だと思われます。また、突き上げ応力の危険性に比し安全といわれる張力を主とした補強方法には、ワイヤー等の鋼材が使用される場合が多くありますが、この場合は変形時に加わる応力をすべて張耐力で対応するため、固定材取り付け部に引き抜き応力が集中することとなり、木材と接合部での破壊を生じる危険性があります。固定材が外れることや固定部分の木材破壊でその効果が失われることとなります。この点からも、筋交い材としては、突き上げ破壊を起こさない程度の圧縮耐力と大きな張耐力を持つ材を使用することが理想だと言えます。この点を考慮いたしますと、面材補強も初期には圧縮力、変位の移行により張力を活用できる取り付け方法が良いと言えます。
【発明の開示】
【発明が解決しようとする課題】
【０００３】  この発明は、上記のような実状を鑑み鋭意研究の結果創案したものであります。木造軸組工法の特性を生かし大きな耐震性能を持つ耐力壁を構成するため、新築・既存を問わず使用できる補強用の接合金物を開発するものです。特に、耐震補強の必要性が叫ばれている既存住宅の倒壊を防ぐために、倒壊のメカニズムを分析し、従来あまり重要視されていなかった大地震の際の３次元の複合的揺れに対して建物の捻れによる破壊を如何に防ぐかをも課題と致しました。今までの補強金物の問題点をまとめてみます。
（１）１軸・２軸方向の固定方法で柱・土台又は柱・桁に固定する取り付け方法を用いていた為、筋交いに張力として働く応力や、筋交いの圧縮の際に働く押し出し応力に対応できない。
（２）圧縮筋交いの取り付けを基本とした折り加工金物が多く、衝撃等の破壊や変形が容易であると共に，大きな靭性を持たない為、軸組工法の靭性特性を生かせない。
（３）筋交いの取り付け方法がボルトやビス・釘を用いたものである為、地震の際に取り付け部に大きな揃断力が加わることで、筋交いに割れ・裂け・外れを生じさせる。
今回の発明は、上記の問題点を解決し、木構造の補強を木材の特性を活用しながら軸組工法自体の駆体強度を高めることで、既存住宅の耐震補強工事を、簡便で、ローコストに提供すると同時に、木造軸組工法に大きな耐震・耐風性を持たせた新しい工法として補強できる金物を堤供するものであります。木造軸組工法の倒壊要因は、縦揺れに対しての土台と柱との接合部の外れ、縦揺れに対しての接合部変形からの外れ・破壊や耐震壁不足やアンバランスから生ずる捻じれによる破壊があります。耐力壁不足やバランスの悪い配置は従来の補強方法でも改善されますが、在来軸組工法や伝統工法といった開放的な建物においては、大きな壁量を持たせる構造・工法を開発することが少ない壁面での補強を可能とし、ローコストな補強工事の解決策といえます。このことから、木構造の優れた特性を生かし弱点を補う補強方法が必要といえ、あらゆる方向から加わる応力に対応する接合部補強と筋交いの場合は破壊の牛じない適正な筋交い使用で接合部に加わる突き上げ応力の軽減化と木材の特性である圧縮力より大きな張耐力を活用できる取り付け方法、面材の活用の場合は、張耐力の活用を優先して、変形による破壊を防ぐ取り付け方法を改良することが重要だと言えます。
【課題を解決する為の手段】
【０００４】  上記の問題を解決するには、軸組工法の弱点である接合部に関しては、全方向応力に対して効果と、既存住宅においては締め付け型のボルトの木材収縮による緩みを補う効果がある接合金物の開発が必要だと思われます。さらに耐震・耐風に対する補強においては、使用する補強材の張耐力・引張耐力の両特性を生かし、初期に圧縮その後引張耐力への耐力の移行がスムースな施工方法を考案することとなります。張力に対応する接合部の取り付け方法には、使用補強材と接合金物との取り付け部の破壊及び駆体と接合金物の取り付け部双方の破壊を防ぐ必要があります。また、木材の場合には圧縮耐力の３倍ある張耐力を活用することとなりますますので、突き上げ破壊を考慮いたしますと、材自体は厚さよりも幅を持たせた筋交いが構造的には有利といえます。そして、少ない壁面で安定した大きな効果のある補強をするためには、襷掛けも可能な構造を持たせる必要があります。軸組工法における合板等面材による補強に関しましては、従来の４面全てを固定することによるによる変形破壊をなくすために圧縮応力の逃げ易い４点の面固定が理想と言えます。在来工法の土壁仕様の住宅において、土壁自体を解体することなく筋交いと同様に面材を壁面内に取り付けができれば、土壁自体の耐力も活用できることとなり、従来と比較して大きなコストダウンが可能となります。この場合外部あるいは内部の片面から面材を取り付ける事となるため、取り付けようのボルト等を既設しておく必要があります。さらに採光性の高い面材の使用を可能にすれば、本来の日本住宅、すなわち開放的な在来工法の住宅におきましてはその風合いを生かす採光面積を減らさない耐震補強ができますし、耐震強度重視によるツーバイフォー化した現在の軸組工法におきましても、新たな駆体構成を提供することとなります。たとえば、耐力壁を構成する面材補強材として、ガラスや樹脂等の透過性の高い面材を使用すればよいことになります。
【発明の効果】
【０００５】  今回開発した接合金物は３面を構成する構造とし、３方向１体固定方式を採用することで、接合部に加わるあらゆる方向からの応力からホゾ抜け・仕口破壊を防ぎ補強致します。３面一体固定方式は金物取り付け部を３方向で固定するため、従来の金物と比較して取り付け部分での割れや外れの危険性を軽減すると共に、捻れを防ぐ効果もあります。さらに、この接合金物を用いて耐力壁を設置する場合、補強材を突起付き座金で面固定とする事で、取り付けに使用するボルトに加わる揃断力を抑えると同時に、補強材として使用する木筋交いや構造用合板等の面材の割れや裂け・破壊を防ぎます。さらに、金物の内側に座金の移動を防ぐ為の突起加工は、補強材の固定性を高めてより大きな張耐力を活用できます。また、本体内面に接する形状加工の座金を固定することにより、接合金物本体の補強も兼ねることとなります。
実際の補強においては張耐力も活用する構造となりますので、補強材に木筋交いを使用する場合、従来の筋交いの圧縮強度と大きな張耐力も活用できます。その効果は、初期段階では圧縮耐力が働き、大きな変位で圧縮側に働く筋交いが撓み等でその耐力が減衰するに伴い引張り側に働く筋交い移行する事となります。このように、双方の耐力を活用する事で、接合部に加わる張力を軽減できる結果となり、取り付け部の破壊を防ぎ耐震性能を向上させます。さらに面材を従来のように外部に貼り付け併用した補強におきましては、この接合金物で４隅の接合部の変形を抑制するため、面材の変形形状に近い変位をすることとなり、その複合効果で面材の耐力が従来以上に活用できることとなります。
在来軸組工法の土壁仕様の場合の補強は、従来のように面材を外部から柱・桁・土台に打ち付けるのではなく、この接合金物を使用して柱面から木舞までの間を使った壁内部にはめ込む補強ができます。この方式により、解体の手間と処分費及び外部仕上げ材の下地調整の必要をなくし、大幅なコストダウンを実現いたします。また、南面の開口部に耐力壁を増設する場合、補強に用いる面材に透過性のあるガラス、樹脂等を使用することで開放的な日本住宅の風合いを無くすことなく補強が可能となります。
この接合金物は、木構造全般や鉄骨構造等に使用が可能な金物であります。軸組工法の場合、駆体の最終強度を決定する筋交い・初期耐力に大きな効果がある構造用合板等の面材の補強効果を最大限活用し、接合部補強と変形を抑える相乗効果で、従来以上の安定した耐震性能をもつ構造を可能にします。面材補強の場合には、大きな初期耐力を持続させる取り付け方法により、大きな変位に対しても効果が減衰しにくくなります。筋交いを補強材と使用する場合には、補強効果の大きい筋交いの張耐力も生かす取り付け方法となります。さらに、筋かいと面材を併用使用で、面材補強の利点と筋交い補強の利点を併用する事でより大きな耐震性能を持つ耐力壁を構成することもできます。現在の既存住宅の耐震補強は、単に倒壊を防ぐことを目的としておりますが、この接合金物を用いた耐震補強工事は、少ない施工壁面での補強を可能にし、ローコストで倒壊を防ぐのみならず被災後の被害を如何に軽微にするかを追求した耐震補強ができます。このように大きな補強効果をもつ木造耐力壁の開発により、建物のデザイン面においても構造的自由度を高めます。
【実施例】
【０００６】  既存住宅の場合の耐震補強には、たとえば通し柱に面する壁を主に、外部又は内部より補強する場合は、外装材又は内装壁（床・天井材を解体する）を剥がし、筋交いの襷かけを用いる場合、軸組工法では下地と間柱  在来工法の土壁の場合は、下地、土壁、竹木舞、壁貫等を取り除き、土台・柱・桁の駆体を顕わします。４隅の通し柱の面する壁の場合、土台補強が必要となる場合がありますが、その場合は接合金物に重ならない長さのアングル状に加工された鋼材とケミカルアンカーを用いて基礎と土台を緊結致します。その後、柱と土台、柱と桁の接合部の４カ所に接合金物を取り付け、筋交いを取り付けます。但し、接合金物の裏面を使用する奥側の筋交いは、接合金物を取り付ける前に加工してセットしておきます。筋交いを座金等使用方法に従い取り付け、間柱を立て後、必要に応じて構造用合板等を基準に則り釘等を用いて固定すし、その後仕上げを施工することになります。
構造用合板等面材で補強する場合、同様に外装または内装を取り外し（内部からの場合は、床・壁等を撤去する）壁面に使用補強面材に応じた接合金物の深さに内壁面をそろえます。（湿式の場合土壁を落とす・乾式の場合間柱の幅を落とす）土台補強を必要とする場合は筋かいの場合と同様に補強いたします。その後、接合金物を４隅に取り付け、内部に収まるようにカットした構造用合板を設置後座金とボルトで固定致します。面材補強が完了いたしましたら、外壁材又は内装の施工をすることとなります。
開口部に耐力壁を設置する場合や採光が必要な場合には、サッシュ等建具材をはずした後、鴨居・下無目・壁等をはずし、必要な耐力壁を設ける部分に柱を立て、４隅に接合金物を取り付けた後、アクリル板等採光可能な面材を取り付け仕様に則り設置いたします。
また、筋かいが入らない掃き出し窓、中窓等が設置された開口部の場合で耐力が必要な場合には、柱・土台、柱・桁・梁の接合部に、この接合金物に木片を用いて座金を取り付けた状態で単体取り付け施工後、壁面となる箇所に構造用合板等を用いて補強いたします。
【産業状の利用の可能性】
【０００７】  今回開発いたしました接合金物は、▲１▼接合部の補強  ▲２▼接合部の変形の抑制  ▲３▼張耐力を生かす取り付け方式  の特徴があり、この複合効果で木造軸組工法の優れた靭性特性を生かしながら、補強材の耐力を最大限活用する事を可能にした金物です。既存住宅の補強を考慮した後付け方式の接合用金物と致しましたので、既存・新設を問わず簡便に従来を大きく越える構造的強度もつ耐力壁を造り、木構造の耐震・耐風性能を大きく向上させることを可能と致しました。従来の筋交いの突き上げ破壊の危険性を改善する張耐力活用の使用方法・取り付け方法は、面材補強の効果も大きく向上させる事ともなります。阪神淡路大震災以降、日本の文化でもある在来軸組工法は倒壊しやすい構造と結論付けられ、その後耐震性重視の法的規制の改正により外観的・意匠的にツーバイフォーとの差が無くなっているのが現状です。その要因として、軸組工法では大きな耐力壁が難しく、多くの壁を配置することでしか耐震性が確保できない点にあります。本来開放的で自然光を取り入れ通風性を重視した伝統的なプランは、日本の風土に適合した優れた建築形式であると思われますが、基準法に則り安全を重視すれば難しいプランと言わざるを得ないのが現状です。在来軸組工法は日本の風土にあった建築形式であると共に、化粧材を兼ねた構造材で構成される日本独特の日本建築形式には、日本人の感性の集約的要素があります。また、世界で１番優れているといわれる大工に技術も在来軸組工法を基礎に培われたものといえます。実物実験が行なわれるまで、構造的面から土壁が耐力の無い壁と見なされたり、力貫や雑壁の構造的強度が認められていなかったことにより、建築形式は大きく歪められてしまったといっても過言ではありません。阪神淡路大震災においては、大きく傾いても倒壊しなかった木造住宅は在来工法であったことは周知のことであります。震災後、土壁・竹木舞・壁貫が優れた工法であると再認識されつつありますが、すでに職人自体が少なくなってしまっているのが現状なのです。そして、在来軸組工法とは大きく様変わりした現在の軸組工法は、柱と間柱・筋交いあるいは面材で構成される構造となり、耐震性能は雑壁の耐力が小さく筋交い又は面材を使った壁量で決定します。そのため、耐力壁の配置が耐震性能を大きく左右することとなり、意匠面での制約となっておりました。このことが、住宅設計の形を決め、開放的で繊細、柱・鴨居等直線で構成される軸組工法の伝統美を持った住まいを失う事ともなったともいえます。この接合金物を使用する補強方法は、従来の補強資材で大きな耐震性能を持つ耐力壁を構成すると共に、ポリカカーボ・アクリル樹脂板や強化ガラス板を補強面材として使用することが可能ですので、従来木造軸組工法では構造的に難しかった建物に開放的な耐力を持つ採光壁を設けることが出来ます。ツーバイフォー化して建物の個性が無くなっている意匠大きく変えることも可能だといえます。瓦葺、南面に２間や９尺の掃き出し窓の連装で構成する在来軸組工法に大きな耐震性能を持たせる構造も可能となります。特に４隅に面した壁に使用する場合にも採光が可能な構造壁となりますので、その開放感は軸組工法特有の構造ともなります。こ���ような構造は、ツーバイフォーとの差別化を促し日本住宅建築としての軸組工法の復権にも繋がると思います。またこのような面材を使用することでコストの面でも外・内装の費用が不要になり、大幅なコストダウンに繋がります。施工面におきましては大工さんの従来の技術・知識・道具で施工が出来る補強金物で、この金物を持つ大きな耐震性能は施工による強度のばらつきを無くし安定した強度を提供できるとともに、少ない壁面の施工で必要耐力を実現します。このことは、コストの面で進んでいないといわれる既存住宅の耐震補強を大きく推進させることとなります。最近の実験報告では、筋かいが倒壊を防ぐ大きな効果が認められております。今回の接合金物は張耐力を有効に使うことにより、さらに大きな効果が期待できるとともに、従来の全面固定による面材補強と比較して、より大きな変位に対しても面材が有効に働きますので、倒壊を防ぐ効果は大きく向上いたします。この結果、倒壊から人命や財産を守るのみならず、大地震の被災後の避難路の確保の条件をも満たし、２次災害の防止にも大きな効果があると思います。
【図面の簡単な説明】
【０００８】
【図１】  接合金物本体を示した平面図である。
【図２】  接合金物本体を示した断面図である。
【図３】  接合金物面材仕様  ナット取付け加工本体断面図である。
【図４】  接合金物に用いる固定座金平面図・側面図である。
【図５】  接合金物の標準取り付け施工例である。
【図６】  接合金物の裏面筋交い取付け施工例を示した図である
【図７】  接合金物の面材に構造用合板仕様例を示した図である。
【図８】  ２枚の接合金物組み合わせて使用する透過性樹脂等の補強面材の取り付けを示した図である。
【図９】  補強に面材としてガラス・透過性樹脂を接合金物使用する場合、ゴム材等の衝撃緩衝材を用いて取付け施工の図である。
【図１０】  接合金物を用いて通し柱の接合部分の補強を兼ねて施工した図である。
【図１１】  新築時の筋かい取付け施工図である。実際の工事においてはさらに外部より構造用合板を柱・桁・間柱に取り付ける。
【図１２】  現在筋かいの取り付けに使用されている接合金物箱型プレート・筋かいプレートを示した図である。
【図１３】  従来の筋かいの取付け方法と短冊金物を用いた補強方法を示した図である。
【図１４】  図１３の補足の図である。
【符号の説明】
【０００９】  １．          接合金物
Ａ−  １  本体補強材接合面
Ａ−  ２  本体外部取付け用フラップ
Ａ−  ３  本体内面取り付け面
ａ−  １  本体フラップ部固定用開穴  釘・螺子等で固定
ａ−  ２  補強部材滑り止め加工  内面・外面（ダボ）
ａ−  ３  座金取付けボルト穴
ａ−  ４  本体仮止め用突起
ａ−  ５  梱包用時に使用する仮取付け用突起収納開口
ａ−  ６  本体側面部座金固定用突起
ａ−  ７  コーチボルト・連結用ボルト用開孔
ａ−  ８  本体側面部固定用開孔  釘・螺子等で固定
ａ−  ９  本体面材取付け用  ナット取り付例
Ｂ−  １  取付け座金
ｂ−  １  座金固定ボルト開孔
ｂ−  ２  座金滑り止めダボ
ｂ−  ３  衝撃緩衝材（ゴム・粘性樹脂等）
２．          柱
３．          土台
４．          コンクリート布基礎
５．          木筋かい
６．          土台固定用鋼材
７．          ケミカルアンカーボルト
８．          ボルト
９．          スプリングワッシャー
１０．          ナット
１１．          ワッシャー
１２．          構造用合板
１３．          補強面材（ガラス板・合成樹脂板・その他）
１４．          桁
１５．          梁
１６．          箱型プレート
１７．          筋かいプレート
１８．          短冊金物
１９．          角座金
【図１】
2006104916.tif 000003
【図２】
2006104916.tif 000004
【図３】
2006104916.tif 000005
【図４】
2006104916.tif 000006
【図５】
2006104916.tif 000007
【図６】
2006104916.tif 000008
【図７】
2006104916.tif 000009
【図８】
2006104916.tif 000010
【図９】
2006104916.tif 000011
【図１０】
2006104916.tif 000012
【図１１】
2006104916.tif 000013
【図１２】
2006104916.tif 000014
【図１３】
2006104916.tif 000015
【図１４】
2006104916.tif 000016